(57)【要約】【課題】ユーザが意図しない用紙へのファクシミリ印刷を防ぐことができるファクシミリ装置、およびファクシミリ装置の制御方法を提供すること。【解決手段】ファクシミリデータを受信した後、給紙トレイにセットされた用紙を確認させる旨のメッセージ、印刷ボタン、および印刷中止ボタンを含む用紙確認画面を表示パネルに表示させる（ステップＳ２００）。そして、印刷ボタンが選択されると受信画像のファクシミリ印刷を開始してから（ステップＳ２４０）、用紙確認画面の表示を中止する（ステップＳ２６０）。印刷中止ボタンが選択されると、ファクシミリ印刷を行うことなく、用紙確認画面の表示を中止する（ステップＳ２６０）。ユーザは給紙トレイにセットされた用紙を確認してから、ボタンを選択してファクシミリ印刷を開始させることができるので、ユーザが意図しない用紙へのファクシミリ印刷を防ぐことができる。【選択図】図５
2008211430.tif 000002
【特許請求の範囲】
【請求項１】
ファクシミリデータを受信する受信部と、
ファクシミリ用の用紙を含む複数種類の用紙を載置可能な載置部と、
前記載置部に載置された用紙に対して印刷を行うための印刷部と、
画面を表示するための表示部と、
入力操作を受けるための操作部と、
前記受信部が前記ファクシミリデータを受信した後に、前記受信したファクシミリデータに基づくファクシミリ印刷を指示するための項目を前記表示部に表示させ、
前記操作部による項目の選択に応じて、前記印刷部によるファクシミリ印刷を制御する制御部とを備えることを特徴とするファクシミリ装置。
【請求項２】
請求項１に記載のファクシミリ装置において、
前記制御部は、前記ファクシミリデータを受信してから所定時間が経過した後に、前記印刷部にファクシミリ印刷を行わせることを特徴とするファクシミリ装置。
【請求項３】
請求項１または２に記載のファクシミリ装置において、
前記制御部は、前記項目を表示させてから所定時間が経過した後に、前記印刷部にファクシミリ印刷を行わせることを特徴とするファクシミリ装置。
【請求項４】
請求項１ないし３のいずれか一項に記載のファクシミリ装置において、
前記制御部は、前記ファクシミリデータを受信した後に、前記載置部に載置された用紙がファクシミリ用の用紙であることの確認を促すメッセージを、前記表示部にさらに表示させることを特徴とするファクシミリ装置。
【請求項５】
請求項１ないし４のいずれか一項に記載のファクシミリ装置において、
前記制御部は、印刷を指示する印刷指示項目を前記表示部に表示させ、
前記印刷指示項目が選択された場合、前記受信したファクシミリデータに基づくファクシミリ印刷を前記印刷部に行わせることを特徴とするファクシミリ装置。
【請求項６】
請求項１ないし５のいずれか一項に記載のファクシミリ装置において、
前記制御部は、印刷中止を指示する印刷中止項目を前記表示部に表示させ、
前記印刷中止項目が選択された場合、前記受信したファクシミリデータに基づくファクシミリ印刷を行わないように制御することを特徴とするファクシミリ装置。
【請求項７】
請求項６に記載のファクシミリ装置において、
前記項目が表示されてからの経過時間を計時する計時部をさらに備え、
前記制御部は、計時を一時停止する一時停止項目を前記表示部に表示させ、
前記一時停止項目が選択された場合、前記計時部に計時を中断させると共に、中断した計時を再開させるための再開項目を前記表示部に表示させることを特徴とするファクシミリ装置。
【請求項８】
ファクシミリ用の用紙を含む複数種類の用紙を載置可能な載置部を備えるファクシミリ装置の制御方法であって、
前記ファクシミリデータを受信した後に、前記受信したファクシミリデータに基づくファクシミリ印刷を指示するための項目を表示し、前記項目の選択に応じて前記載置部に載置された用紙へのファクシミリ印刷を制御することを特徴とするファクシミリ装置の制御方法。
【発明の詳細な説明】
【技術分野】
【０００１】
予めセットされた用紙に対してファクシミリ印刷を行うファクシミリ装置、およびファクシミリ装置の制御方法に関する。
【背景技術】
【０００２】
近年、複写機能、ファクシミリ機能、印刷機能などの複数の機能を備えたプリンタ、いわゆるマルチファンクションプリンタが広く用いられている。マルチファンクションプリンタは通常のプリンタとしても用いられるため、Ａ４普通紙やＬ版サイズの写真用紙など多様な種類の用紙をセット可能な用紙トレイが取り付けられている。
【０００３】
また、ファクシミリ機能を有する従来の装置としては、ファクシミリ印刷のためのデータを受信すると所定のメモリに蓄積しておき、蓄積したデータを読み出して印刷出力する装置（例えば、特許文献１参照）や、データ受信後、予め設定された時間の経過を待ってから受信文書を印刷出力する装置（例えば、特許文献２，３参照）が知られている。
【０００４】
【特許文献１】特開平６−９８１２２号公報
【特許文献２】特開平６−２１７０５７号公報
【特許文献３】特開平８−１１６３９３号公報
【発明の開示】
【発明が解決しようとする課題】
【０００５】
しかしながら、特許文献１〜３に記載の技術をマルチファンクションプリンタに適用した場合、Ｌ版の写真用紙などファクシミリ用でない用紙にファクシミリ原稿を印刷してしまうことがある。すなわち、マルチファンクションプリンタの用紙トレイは多様な種類の用紙に対応しているので、例えば、印刷機能を使用した後にファクシミリ機能を使用する場合、サイズの異なる用紙や高価な用紙などユーザが意図しない用紙にファクシミリ印刷を行う可能性があった。
【０００６】
そこで、本発明は、ユーザが意図しない用紙へのファクシミリ印刷を防ぐことができるファクシミリ装置、およびファクシミリ装置の制御方法を提供することを目的とする。
【課題を解決するための手段】
【０００７】
上記目的を達成する本発明のファクシミリ装置は、ファクシミリデータを受信する受信部と、ファクシミリ用の用紙を含む複数種類の用紙を載置可能な載置部と、載置部に載置された用紙に対して印刷を行うための印刷部と、画面を表示するための表示部と、入力操作を受けるための操作部と、受信部がファクシミリデータを受信した後に、受信したファクシミリデータに基づくファクシミリ印刷を指示するための項目を表示部に表示させ、操作部による項目の選択に応じて、印刷部によるファクシミリ印刷を制御する制御部とを備えることを特徴とする。
【０００８】
この構成によれば、ファクシミリデータを受信した後に、操作部への操作に従って表示部に表示された項目が選択されることによりファクシミリ印刷が制御される。ユーザは、項目を選択する前に、載置部に載置された用紙の種類を確認することができるので、ユーザが意図しない用紙へのファクシミリ印刷を防ぐことができる。
【０００９】
また、本発明のファクシミリ装置において、制御部は、ファクシミリデータを受信してから所定時間が経過した後に、印刷部にファクシミリ印刷を行わせることが好ましい。
【００１０】
この構成によれば、ファクシミリデータを受信してから所定時間が経過した後、ユーザからの操作がなくともファクシミリ印刷が行われるので、ユーザが意図しない用紙へのファクシミリ印刷を防ぎながら、ユーザにとっての使い勝手に優れたファクシミリ装置を提供することができる。
【００１１】
また、本発明のファクシミリ装置において、制御部は、項目を表示させてから所定時間が経過した後に、印刷部にファクシミリ印刷を行わせることが好ましい。
【００１２】
この構成によれば、項目を表示させてから所定時間が経過した後、ユーザからの操作がなくともファクシミリ印刷が行われるので、ユーザが意図しない用紙へのファクシミリ印刷を防ぎながら、ユーザにとっての使い勝手に優れたファクシミリ装置を提供することができる。
【００１３】
また、本発明のファクシミリ装置において、制御部は、ファクシミリデータを受信した後に、載置部に載置された用紙がファクシミリ用の用紙であることの確認を促すメッセージを、表示部にさらに表示させることが好ましい。
【００１４】
この構成によれば、表示部に表示されたメッセージに従って、ユーザが、載置部に載置された用紙種類を確認することにより、ユーザが意図しない用紙へのファクシミリ印刷をより確実に防ぐことができる。
【００１５】
また、本発明のファクシミリ装置において、制御部は、印刷を指示する印刷指示項目を表示部に表示させ、印刷指示項目が選択された場合、受信したファクシミリデータに基づくファクシミリ印刷を印刷部に行わせることが好ましい。
【００１６】
この構成によれば、印刷ボタンを選択することによりファクシミリ印刷を行わせることができる。例えば、印刷ボタンを選択する前に、ユーザは載置部に載置された用紙種類を確認し、用紙種類の確認後に印刷指示項目を選択してファクシミリ印刷を行わせるようにして、ユーザが意図しない用紙へのファクシミリ印刷を防ぐことができる。
【００１７】
また、本発明のファクシミリ装置において、制御部は、印刷中止を指示する印刷中止項目を表示部に表示させ、印刷中止項目が選択された場合、受信したファクシミリデータに基づくファクシミリ印刷を行わないように制御することが好ましい。
【００１８】
この構成によれば、印刷中止項目を選択することによりファクシミリ印刷を中止することができる。例えば、ファクシミリ用でない用紙が載置部に載置されたときに、ファクシミリ印刷を中止させるようにして、ユーザが意図しない用紙へのファクシミリ印刷を防ぐことができる。
【００１９】
また、本発明のファクシミリ装置において、項目が表示されてからの経過時間を計時する計時部をさらに備え、制御部は、計時を一時停止する一時停止項目を表示部に表示させ、一時停止項目が選択された場合、計時部に計時を中断させると共に、中断した計時を再開させるための再開項目を表示部に表示させることが好ましい。
【００２０】
この構成によれば、一時停止項目が選択されると、再開項目が選択されるまでの時間分だけファクシミリ印刷を行うまでの時間が延長され、ユーザは載置部に載置された用紙種類を確認するための時間を確保することができるので、ユーザが意図しない用紙へのファクシミリ印刷をより確実に防ぐことができる。
【００２１】
また、本発明は方法の発明とすることもできる。すなわち、本発明は、ファクシミリ用の用紙を含む複数種類の用紙を載置可能な載置部を備えるファクシミリ装置の制御方法であって、ファクシミリデータを受信した後に、受信したファクシミリデータに基づくファクシミリ印刷を指示するための項目を表示し、項目の選択に応じて載置部に載置された用紙へのファクシミリ印刷を制御することを特徴とする。
【００２２】
この場合、ユーザは、項目を選択する前に載置部に載置された用紙の種類を確認することができるので、ユーザが意図しない用紙へのファクシミリ印刷を防ぐことができる。
【発明を実施するための最良の形態】
【００２３】
（実施例１）
以下、本発明に係る第１の実施例について図面を参照して説明する。
【００２４】
図１は、第１の実施例に係るマルチファンクションプリンタ（以下、「ＭＦＰ」という）の外観図である。ファクシミリ装置としてのＭＦＰ１は、原稿台に載置された原稿を複写する複写機能、ホストコンピュータやデジタルカメラの外部機器からの制御により印刷を行う印刷機能、ファクシミリ通信を行うファクシミリ機能、メモリカードに記憶された画像を印刷するメモリカード印刷機能を有した、いわゆる複合機である。図１に示すように、ＭＦＰ１は、装置本体２の原稿台に被さる原稿カバー３と、原稿カバー３に取り付けられた原稿トレイ４および原稿排紙トレイ５と、メモリカードなどのリムーバブルメモリが装着されるメモリスロット６と、給紙トレイ（載置部）７と、排紙トレイ８とを備えている。原稿カバー３は、ユーザが原稿台に原稿をセットできるように装置本体２側の原稿台に対して開閉自在に取り付けられている。給紙トレイ７については、Ｌ版サイズの写真用紙やＡ４普通紙など、用紙サイズや紙種が異なる複数種類の原稿がセット可能である。
【００２５】
また、ＭＦＰ１の装置本体２には操作ユニット（操作部）７０が取り付けられている。
【００２６】
次に、ＭＦＰ１の内部構成について説明する。図２に示すように、ＭＦＰ１は、ファクシミリ送受信部（受信部）１０と、外部インターフェイス２０と、メモリインターフェイス３０と、紙搬送機構４０と、スキャナユニット５０と、印刷エンジン（印刷部）６０と、操作ユニット７０と、これらの各構成を制御するコントローラ（制御部）８０とを有している。
【００２７】
ファクシミリ送受信部１０は、公衆電話回線を介して他のファクシミリ１００と接続され、公衆電話網と接続するためのＮＣＵ（Network Control Unit）、および送受信データの変復調を行うモデムとしての機能を有している。ファクシミリ送受信部１０は、リング信号の検出、ＩＴＵ−Ｔ勧告に従うプロトコル制御などを行って、他のファクシミリ１００とファクシミリデータの送受信を行う。
【００２８】
外部インターフェイス２０は、外部機器と通信可能に接続するための入力部としてのインターフェイス部分である。図２に示すように、外部インターフェイス２０にはパーソナルコンピュータ２００やデジタルカメラ３００などの外部機器が接続されている。
【００２９】
メモリインターフェイス３０は、メモリスロット６に挿入されたリムーバブルメモリ３１との入力部としてのインターフェイス部分である。リムーバブルメモリ３１はフラッシュメモリなどの脱着可能な不揮発性の記憶媒体であり、印刷の対象とする画像データが記憶されている。
【００３０】
紙搬送機構４０は、ＭＦＰ１内部で用紙を搬送する機構であり、複数の搬送ローラや駆動モータなどで構成される。具体的には、紙搬送機構４０は、原稿トレイ４にセットされた用紙をＭＦＰ１内部に取り込んで給紙し、給紙された用紙をスキャナユニット５０の読取面に搬送したり、給紙トレイ７にセットされた用紙を印刷エンジン６０に供給する紙搬送を行う。また、紙搬送機構４０は、スキャナユニット５０による読み取り後の用紙を原稿排紙トレイ５に排出する紙搬送、および印刷エンジン６０による印刷後の用紙を排紙トレイ８に排出する紙搬送も行う。
【００３１】
スキャナユニット５０は、原稿台に載置された原稿の画像を読み取る部分であり、蛍光管ランプなどの照明部、ＣＣＤやＣＭＯＳなどのイメージセンサ、アナログ信号処理などを行うＡＦＥ（Analog Front End）、イメージセンサを原稿面に沿って走査させる機構などを備える。照明部は、スキャナユニット５０に供給された用紙を照明し、イメージセンサは原稿面に沿って走査されながら、原稿の反射光を取り込んで画像信号を生成する。生成された画像信号は、ＡＦＥにより信号の増幅、ノイズ除去、Ａ／Ｄ変換などの処理が施されて、ディジタル画像データに変換される。
【００３２】
印刷エンジン６０は、紙搬送機構４０により供給された用紙に対して印刷を行う部分であり、インクジェット方式で印刷用紙に画像を形成する印字ヘッドや、インクカートリッジ、印字ヘッドを駆動させる駆動回路などを備える。印字ヘッドおよびインクカートリッジはキャリッジに設けられ、用紙搬送方向に直交する方向にキャリッジを移動させながら、印字ヘッドに設けられたピエゾ素子を駆動して用紙に対してインクを吐出させる。これにより、用紙表面にドットが形成されて印刷が行われる。なお、本実施例では、インクジェット方式による印刷を行うものとしたが、電子写真方式や熱転写方式などの印刷方式により印刷を行う構成としてもよい。
【００３３】
操作ユニット７０は、ＭＦＰ１に対するユーザから指示を受けるためのユーザインターフェイス部分である。図３に、操作ユニット７０の構成を示す。図３に示すように、操作ユニット７０は、ＬＣＤ(Liquid Crystal Display)などの表示パネル７１と、電源スイッチ７２、動作モード選択スイッチ７３、カーソルスイッチ７４、選択スイッチ７５、テンキー７６、印刷可スイッチ７７、印刷中止スイッチ７８、一時停止スイッチ７９などの各種スイッチ群とを有している。
【００３４】
ここで、動作モード選択スイッチ７３は、ＭＦＰ１の動作モードを選択するためのスイッチである。ＭＦＰ１の動作モードには、原稿台にセットされた原稿を複写する「コピーモード」、パーソナルコンピュータ２００やデジタルカメラ３００から送信された画像データを印刷する「プリントモード」、ファックス通信を行う「ファクシミリモード」、メモリスロット６にセットされたリムーバブルメモリ３１に記憶された画像データを印刷する「メモリカードモード」の４つの動作モードがある。ユーザが動作モード選択スイッチ７３を操作して所望の動作モードを選択すると、コントローラ８０の制御の下で、ＭＦＰ１は選択された動作モードに移行する。
【００３５】
コントローラ８０はＭＦＰ１の動作を制御する部分であり、ＣＰＵ８１と、ＲＡＭ８２と、ＲＯＭ８３と、タイマ（計時部）８４と、画像処理部８５とを有している。ＲＯＭ８３は、フラッシュメモリやＥＥＰＲＯＭなどの不揮発性のメモリであり、制御プログラムが予め記録されている。ＲＡＭ８２は、入出力バッファやワーキングメモリなどとして用いられる汎用のメモリである。ＣＰＵ８１はＭＦＰ１の主制御装置であり、ＲＯＭ８３に記憶された制御プログラムを実行することにより、ＭＦＰ１の各構成の動作を制御する。
【００３６】
タイマ８４は、水晶発振器とカウンタ回路とを有し、水晶発振器が発する一定周期のパルスを基準にしてパルス数をカウントすることにより計時を行う。画像処理部８５は、スキャナユニット５０から出力された画像データに対し、ガンマ補正、シェーディング補正、ＪＰＥＧ形式のエンコード等の画像処理を施す処理や、印刷エンジン６０に出力する画像データに対して、ＪＰＥＧ形式のディジタル画像のデコード、解像度変換、アンシャープ処理、階調補正、ハーフトーン処理、分版処理等の画像処理をＣＰＵ８１と協働して実行するＤＳＰ(Digital Signal Processor)などのハードウェアである。
【００３７】
ここで、各動作モードにおけるコントローラ８０の制御内容について簡単に説明する。まず、コピーモードについて説明する。コピーモード設定時に、原稿台に原稿をセットした状態で印刷可スイッチ７７が押下されるようにして複写が指示されると、コントローラ８０は、原稿台にセットされた原稿をスキャナユニット５０に読み取らせる。そして、紙搬送機構４０に給紙トレイ７にセットされた用紙を給紙させ、読み取った画像データを印刷エンジン６０に出力して、給紙した用紙に印刷を行わせる。印刷後の用紙は紙搬送機構４０により排紙トレイ８に排出される。このようにして、コピーモードにおける原稿の複写が行われる。
【００３８】
プリントモード設定時において、外部インターフェイス２０を介してパーソナルコンピュータ２００やデジタルカメラ３００から印刷ジョブを受信すると、コントローラ８０は、受信した印刷ジョブに従って印刷エンジン６０に印刷を行わせる。印刷後の用紙は紙搬送機構４０により排紙トレイ８に排出される。なお、印刷ジョブの受信は、外部インターフェイス２０が携帯電話と赤外線通信などの無線通信を行って受信するようにしてもよい。このようにして、プリントモードにおける印刷が行われる。
【００３９】
メモリカードモード設定時においては、コントローラ８０は、メモリインターフェイス３０を介してメモリスロット６に装着されたリムーバブルメモリ３１から画像データを読み出して印刷エンジン６０に印刷させる。印刷後の用紙は紙搬送機構４０により排紙トレイ８に排出される。これにより、リムーバブルメモリ３１に記録された画像を印刷することができる。
【００４０】
ファクシミリモード設定時においては、コントローラ８０は、原稿トレイ４にセットされた原稿を給紙してスキャナユニット５０に読み取らせ、ファクシミリ送受信部１０に、読み取った画像のファクシミリデータを送り先のファクシミリ１００に送信させることでファクシミリ通信を行う。
【００４１】
また、ファクシミリ送受信部１０がファクシミリデータを受信した場合、コントローラ８０は、動作モードをファクシミリモードに移行させ、ファクシミリデータをＲＡＭ８２の入力バッファに転送する。コントローラ８０は、受信したファクシミリデータに従う印刷を印刷エンジン６０に行わせ、印刷後の用紙を紙搬送機構４０により排紙トレイ８に排出させる。このようにして、ファクシミリ印刷が行われる。
【００４２】
ここで、ファクシミリデータ受信時の処理手順について、自動受信設定と手動受信設定とが予め選択可能になっている。ユーザは、操作ユニット７０を操作して所望の受信設定を選択することができ、コントローラ８０は、選択された受信設定を示す情報をＲＯＭ８３の所定のメモリ領域に記憶させる。なお、自動受信とは、ファクシミリデータを受信すると、ユーザの操作を受けることなくファクシミリ印刷を行う設定である。一方、手動受信とは、ファクシミリデータを受信すると、ＭＦＰ１に接続された受話器（図示なし）などが着信音を鳴らし、ユーザが操作ユニット７０のスイッチに所定の操作を行うことにより、ファクシミリデータの受信をユーザに確認させてから、ファクシミリ印刷を行う設定である。
【００４３】
以上に説明したように、ＭＦＰ１は、印刷機能、複写機能、ファクシミリ機能、メモリカード印刷機能を有している。以下、ＭＦＰ１がファクシミリ印刷を行うときの処理、および各機能による印刷終了後に行う処理について説明する。
【００４４】
まず、ＭＦＰ１が、ファクシミリデータを受信してファクシミリ印刷を行うときの処理について、図４に示すフローチャートに従って説明する。
【００４５】
処理を開始して、ＣＰＵ８１は、公衆電話回線を通じてリンガが到来したか否かを判断する（ステップＳ１００）。ここでは、ＣＰＵ８１はファクシミリ送受信部１０にリング信号を検出したかを問い合わせ、リング信号を検出していなければ（ステップＳ１００：Ｎｏ）、所定の時間経過後に再びステップＳ１００に戻るようにして、リング信号の検出を待ち続ける。ファクシミリ送受信部１０がリング信号を検出すると（ステップＳ１００：Ｙｅｓ）、ＣＰＵ８１は、ファクシミリ送受信部１０に、リング信号の送信先のファクシミリ１００との回線を捕捉させる（ステップＳ１１０）。
【００４６】
次に、ＣＰＵ８１は、ファクシミリ送受信部１０に、捕捉した回線を通じてファクシミリ１００とのファクシミリ通信を行わせる（ステップＳ１２０）。ファクシミリ送受信部１０はファクシミリ１００からファクシミリデータを受信し、受信したデータをＲＡＭ８２の入力バッファに転送する。
【００４７】
次に、ＣＰＵ８１は、自動受信に設定されているか否かを判断する（ステップＳ１３０）。ここでは、ＲＯＭ８３の所定のメモリ領域から、受信設定の内容を記憶した情報を読み出して判断を行い、自動受信に設定されていれば（ステップＳ１３０：Ｙｅｓ）、ステップＳ１４０に進んで自動受信印刷を行う。一方、自動受信に設定されていない、すなわち手動受信に設定されていれば（ステップＳ１３０：Ｎｏ）、ステップＳ１５０に進んで手動受信印刷を行う。
【００４８】
まず、自動受信印刷について説明する。図５は、自動受信印刷の処理の流れを示したフローチャートである。自動受信印刷が開始されると、ＣＰＵ８１は、図６に例として示す用紙確認画面ＹＫＧ１を表示パネル７１に表示させ（ステップＳ２００）、タイマ８４にカウントを開始させる（ステップＳ２１０）。ここで、図６に示すように、用紙確認画面ＹＫＧ１には、自動受信に設定されている旨、ファクシミリ用の用紙のセットを促す旨、所定の時間経過後に自動で印刷を開始する旨のメッセージ９０と共に、印刷の開始を指示するための印刷ボタン（印刷指示項目）９１、および印刷の中止を指示するための印刷中止ボタン（印刷中止項目）９２が表示されている。用紙確認画面ＹＫＧ１を視認したユーザは、メッセージ９０により給紙トレイ７にセットされた用紙の種類を確認すると共に、操作ユニット７０のカーソルスイッチ７４や選択スイッチ７５を操作して、印刷ボタン９１または印刷中止ボタン９２を選択することができる。
【００４９】
次に、ＣＰＵ８１は印刷ボタン９１が選択されたか否かを判断する（ステップＳ２２０）。印刷ボタン９１が選択されていれば（ステップＳ２２０：Ｙｅｓ）、用紙確認画面ＹＫＧ１の表示を中止させ（ステップＳ２３０）、受信したファクシミリデータを印刷エンジン６０に出力して受信画像のファクシミリ印刷を行わせる（ステップＳ２４０）。ファクシミリ印刷を行うと自動受信印刷を終了する。印刷ボタン９１が選択されていなければ（ステップＳ２２０：Ｎｏ）、ステップＳ２５０に進む。
【００５０】
ステップＳ２５０に処理が進むと、ＣＰＵ８１は印刷中止ボタン９２が選択されたか否かを判断する。印刷中止ボタン９２が選択されていれば（ステップＳ２５０：Ｙｅｓ）、用紙確認画面ＹＫＧ１の表示を中止させてから（ステップＳ２６０）、受信したファクシミリデータのファクシミリ印刷を行うことなく、自動受信印刷を終了する。印刷中止ボタン９２が選択されていなければ（ステップＳ２５０：Ｎｏ）、ステップＳ２７０に進む。
【００５１】
ステップＳ２７０に処理が進むと、ＣＰＵ８１はタイマ８４のカウント値を参照して、ステップＳ２１０においてカウントを開始してから所定の時間（図６の例では６０秒）が経過したか否かを判断する。所定時間が経過していれば（ステップＳ２７０：Ｙｅｓ）、用紙確認画面ＹＫＧ１の表示を中止させ（ステップＳ２３０）、印刷エンジン６０に受信画像のファクシミリ印刷を行わせてから（ステップＳ２４０）、自動受信印刷を終了する。所定時間が経過していなければ（ステップＳ２７０：Ｎｏ）、ステップＳ２２０に戻るようにして、印刷ボタン９１または印刷中止ボタン９２が選択されるか、あるいは所定時間が経過するまでステップＳ２２０，Ｓ２４０，Ｓ２５０の処理を繰り返す。こうして、印刷ボタン９１または印刷中止ボタン９２が選択されるか、用紙確認画面ＹＫＧ１の表示から所定の時間が経過すると、自動受信印刷の処理を終了し、自動受信印刷の処理終了と共に図４の処理が終了する。
【００５２】
続けて、手動受信印刷の処理について説明する。図７は、手動受信印刷の処理の流れを示したフローチャートである。手動受信印刷が開始されると、ＣＰＵ８１は、図８に例として示す用紙確認画面ＹＫＧ２を表示パネル７１に表示させる（ステップＳ３００）。用紙確認画面ＹＫＧ２には、給紙トレイ７にファクシミリ用の用紙をセットする旨のメッセージ９３と共に、印刷を開始するための印刷ボタン９１、および印刷を中止するための印刷中止ボタン９２が表示されている。また、このとき、スピーカに着信音を発生させ、ユーザに用紙確認画面ＹＫＧ２を確認するよう促す。
【００５３】
用紙確認画面ＹＫＧ２を表示させると、次に、ＣＰＵ８１は印刷ボタン９１が選択されたか否かを判断する（ステップＳ３１０）。印刷ボタン９１が選択されていれば（ステップＳ３１０：Ｙｅｓ）、用紙確認画面ＹＫＧ２の表示を中止させ（ステップＳ３２０）、受信したファクシミリデータを印刷エンジン６０に出力して、受信画像のファクシミリ印刷を行わせる（ステップＳ３３０）。ファクシミリ印刷を行うと手動受信印刷を終了する。印刷ボタン９１が選択されていなければ（ステップＳ３１０：Ｎｏ）、ステップＳ３４０に進む。
【００５４】
ステップＳ３４０に処理が進むと、ＣＰＵ８１は印刷中止ボタン９２が選択されたか否かを判断する。印刷中止ボタン９２が選択されていれば（ステップＳ３４０：Ｙｅｓ）、用紙確認画面ＹＫＧ２の表示を中止させてから（ステップＳ３５０）、受信したファクシミリデータのファクシミリ印刷を行うことなく、手動受信印刷を終了する。印刷中止ボタン９２が選択されていなければ（ステップＳ３４０：Ｎｏ）、ステップＳ３１０に戻って、再び印刷ボタン９１の押下を判断するようにして、印刷ボタン９１または印刷中止ボタン９２が選択されるまで繰り返し判断を行う。こうして、ユーザにより、印刷ボタン９１または印刷中止ボタン９２が選択されると手動受信印刷の処理を終了し、手動受信印刷の処理終了と共に図７の処理が終了する。
【００５５】
このように、自動受信印刷設定時には、図６に示す用紙確認画面ＹＫＧ１に従って、給紙トレイ７にセットされた用紙の確認を促した後、ファクシミリ印刷を行うかまたは中止させるかをユーザに選択させ、所定時間の間にボタン操作がなかった場合にも、ファクシミリ印刷を行うように制御する。一方、手動受信印刷設定時には、図８に示す用紙確認画面ＹＫＧ２に従って、給紙トレイ７にセットされた用紙の確認を促した後、ファクシミリ印刷を行うかまたは中止させるかをユーザに選択させ、ユーザの手動操作に従ってファクシミリ印刷を行うように制御する。
【００５６】
次に、ＭＦＰ１が、印刷終了後に行う処理について説明する。コピーモード、プリントモード、ファクシミリモード、メモリカードモードにおける印刷が終了すると、図９の処理が開始される。処理を開始すると、ＣＰＵ８１は、終了した印刷がファクシミリ印刷以外の印刷であるか否かを判断する（ステップＳ４００）。すなわち、本処理が、コピーモード、プリントモード、メモリカードモードにおける印刷後に開始されたものであるか否かを判断する。コピーモード、プリントモード、メモリカードモードにおける印刷後に処理を開始していた場合（ステップＳ４００：Ｙｅｓ）、ステップＳ４１０に進む。ファクシミリモードにおける印刷後に開始していた場合（ステップＳ４００：Ｎｏ）、図９の処理を終了する。
【００５７】
ステップＳ４１０に処理が進むと、ＣＰＵ８１は、図１０に例として示す、給紙トレイ７にファクシミリ用の用紙をセットする旨のメッセージ９４を含む用紙確認画面ＹＫＧ３を表示パネル７１に表示させる。そして、タイマ８４に経過時間のカウントを開始させ（ステップＳ４２０）、所定時間（例えば、５秒）を経過したか否かを判断する（ステップＳ４３０）。所定時間を経過していなければ（ステップＳ４３０：Ｎｏ）、再びステップＳ４３０に戻るようにして所定時間が経過するまで判断を繰り返し、所定時間が経過すると（ステップＳ４３０：Ｙｅｓ）、用紙確認画面ＹＫＧ３の表示を中止して（ステップＳ４４０）、図９の処理を終了する。
【００５８】
このように、コピーモード、プリントモード、メモリカードモードにおける印刷後には、図１０に示す用紙確認画面ＹＫＧ３が、所定時間だけ表示パネル７１に表示される。
【００５９】
以上に説明した第１の実施例によれば、以下の効果を得ることができる。
【００６０】
（１）ファクシミリデータを受信した後に、表示パネル７１に表示された印刷ボタン９１を選択することによりファクシミリ印刷が行われる。ユーザは、印刷ボタン９１を選択してファクシミリ印刷を行わせる前に、給紙トレイ７にセットされた用紙の種類を確認することができるので、例えば、Ｌ版の写真用紙などファクシミリ用でない用紙にファクシミリ印刷を行うことを防ぐことができる。
【００６１】
（２）ユーザは、表示パネル７１に表示されたメッセージに従って、給紙トレイ７にセットされた用紙種類を確認することができるので、ファクシミリ用でない用紙へのファクシミリ印刷をより確実に防ぐことができる。
【００６２】
（３）用紙確認画面ＹＫＧ１，ＹＫＧ２を表示パネル７１に表示させてから所定時間の経過後、ユーザが操作することなく、ファクシミリ印刷が開始される。したがって、ユーザが意図しない用紙へのファクシミリ印刷を防ぎながら、ユーザにとっての使い勝手がよくなる。
【００６３】
（４）コピーモード、プリントモード、メモリカードモードにおける印刷後には、用紙確認画面ＹＫＧ３が表示されるので、次回行うファクリシミリ印刷において、ファクシミリ用でない用紙へのファクシミリ印刷を予防することができる。
【００６４】
（実施例２）
次に、第２の実施例について説明する。第２の実施例では、自動受信印刷において表示される用紙確認画面ＹＫＧ１にタイマによるカウントを中断させるためのボタンを追加する。以下、第２の実施例について説明する。
【００６５】
第２の実施例では、自動受信印刷の処理において第１の実施例と異なる。図１１に示す自動受信印刷の処理が開始されると、ＣＰＵ８１は、図１２に例として示す用紙確認画面ＹＫＧ４を表示パネル７１に表示させる（ステップＳ５００）。この用紙確認画面ＹＫＧ４には、メッセージ９０、印刷ボタン９１、印刷中止ボタン９２に加えて、さらに一時停止ボタン９５が含まれている。
【００６６】
表示パネル７１に用紙確認画面ＹＫＧ４を表示させると、ＣＰＵ８１は、タイマ８４にカウントを開始させ（ステップＳ５０５）、一時停止ボタン９５が選択されたか否かを判断する（ステップＳ５１０）。一時停止ボタン９５が選択されていれば（ステップＳ５１０：Ｙｅｓ）、一時停止ボタン９５を再開ボタン９７に表示変更した用紙確認画面ＹＫＧ５（図１３参照）を表示パネル７１に表示させ（ステップＳ５１５）、タイマ８４によるカウントを中断させる（ステップＳ５２０）。
【００６７】
そして、再開ボタン９７が選択されたか否かを判断する（ステップＳ５２５）。再開ボタン９７が選択されていなければ（ステップＳ５２５：Ｎｏ）、ステップＳ５３５に進んで、印刷ボタン９１が選択されたか否かを判断する。印刷ボタンが選択されていれば（ステップＳ５３５：Ｙｅｓ）、用紙確認画面の表示を中止させてから（ステップＳ５５５）、受信したファクシミリデータに従うファクシミリ印刷を行う（ステップＳ５６０）。受信画像を印刷すると、図１１の処理を終了する。
【００６８】
ステップＳ５３５において、印刷ボタンが選択されていなければ（ステップＳ５３５：Ｎｏ）、印刷中止ボタン９２が選択されたか否かを判断する（ステップＳ５４０）。印刷中止ボタン９２が選択されていれば（ステップＳ５４０：Ｙｅｓ）、用紙確認画面の表示を中止させてから（ステップＳ５４５）、受信したファクシミリデータを印刷することなく、図１１の処理を終了する。印刷中止ボタン９２が選択されていれば（ステップＳ５４０：Ｎｏ）、ステップＳ５２５に戻って、再び再開ボタン９７が選択されたかを判定する。このように、ボタン選択判定を繰り返し行い、再開ボタン９７が選択されると（ステップＳ５２５：Ｙｅｓ）、タイマ８４に中断したカウントを再開させてから（ステップＳ５３０）、ステップＳ５１０に戻る。
【００６９】
また、ステップＳ５１０において、ＣＰＵ８１は、一時停止ボタン９５が選択されていないと判断すると（ステップＳ５１０：Ｎｏ）、印刷ボタン９１が選択されたか否かを判断する（ステップＳ５５０）。印刷ボタン９１が選択されていれば（ステップＳ５５０：Ｙｅｓ）、用紙確認画面の表示を中止させてから（ステップＳ５５５）、印刷エンジン６０に受信画像のファクシミリ印刷を行わせ（ステップＳ５６０）、図１１の処理を終了する。印刷ボタン９１が選択されていなければ（ステップＳ５５０：Ｎｏ）、ステップＳ５６５に進んで、印刷中止ボタン９２が選択されたか否かを判断する。印刷中止ボタン９２が選択されていれば（ステップＳ５６５：Ｙｅｓ）、ステップＳ５４５に進んで、用紙確認画面の表示を中止させてから、ファクシミリ印刷を行うことなく、図１１の処理を終了する。印刷中止ボタン９２が選択されていなければ（ステップＳ５６５：Ｎｏ）、ステップＳ５７０に進む。
【００７０】
ステップＳ５７０では、ＣＰＵ８１はタイマ８４のカウント値を参照して、所定時間が経過したか否かを判断する。所定時間が経過していなければ（ステップＳ５７０：Ｎｏ）、ステップＳ５１０に戻って再びボタン判定を行い、所定時間が経過していれば（ステップＳ５７０：Ｙｅｓ）、用紙確認画面の表示を中止させてから（ステップＳ５５５）、印刷エンジン６０に受信画像のファクシミリ印刷を行わせて（ステップＳ５６０）、図１１の処理を終了する。
【００７１】
以上に説明した第２の実施例によれば、第１の実施例における効果（１）〜（４）に加えて、さらに以下の効果を得ることができる。
【００７２】
（５）ユーザが、一時停止ボタン９５を選択することにより、用紙確認画面ＹＫＧ４を表示してからファクシミリ印刷が再開されるまでの時間分を、予め決められた所定時間からさらに延長することができる。したがって、ユーザは、用紙確認をより確実に行って、ファクシミリ用でない用紙へのファクシミリ印刷をより確実に防ぐことができる。
【００７３】
（実施例３）
次に、第３の実施例について説明する。第３の実施例では、ファクシミリデータを受信したとき、前回印刷を行ったときの動作モードに応じて用紙確認画面の表示を行うように制御する。以下、第３の実施例について図１４のフローチャートに従って説明する。
【００７４】
処理を開始して行うステップ６００〜ステップＳ６２０の処理については、第１の実施例におけるステップＳ１００〜Ｓ１２０と同様であるので説明を省略する。ステップＳ６２０においてファクシミリ通信が行われると、次に、ＣＰＵ８１は、前回行った印刷がファクシミリ印刷以外であるか否かを判断する（ステップＳ６３０）。前回行った印刷がファクシミリ印刷以外でなければ（ステップＳ６３０：Ｎｏ）、ステップＳ６６０に進んで印刷エンジン６０にファクシミリ印刷を開始させる。前回行った印刷がファクシミリ印刷以外であれば（ステップＳ６３０：Ｙｅｓ）、図８に示す用紙確認画面ＹＫＧ２を表示パネル７１に表示させる（ステップＳ６４０）。
【００７５】
次に、ＣＰＵ８１は、用紙確認画面ＹＫＧ２の印刷ボタン９１が選択されたか否かを判断する（ステップＳ６５０）。印刷ボタン９１が選択されていなければ（ステップＳ６５０：Ｎｏ）、印刷中止ボタン９２が選択されたか否かを判断する（ステップＳ６７０）。印刷中止ボタン９２が選択されていれば（ステップＳ６７０：Ｙｅｓ）、用紙確認画面の表示を中止してから（ステップＳ６９０）、ファクシミリ印刷を行うことなく、図１４の処理を終了する。印刷中止ボタン９２が選択されていなければ（ステップＳ６７０：Ｎｏ）、ステップＳ６５０に戻る。そして、印刷ボタン９１が選択されたと判断されると（ステップＳ６５０：Ｙｅｓ）、用紙確認画面の表示を中止させてから（ステップＳ６６０）、印刷エンジン６０にファクシミリ印刷を行わせる（ステップＳ６８０）。受信画像を印刷すると、図１４の処理を終了する。
【００７６】
以上に説明した第３の実施例によれば、以下の効果を得ることができる。
（６）前回行われた印刷がファクシミリ印刷以外の場合、すなわち前回の印刷がコピーモード、プリントモード、メモリカードモードによるものであった場合、ユーザは、表示パネル７１に表示された用紙確認画面ＹＫＧ２に従って、給紙トレイ７にファクシミリ用の用紙をセットすることができる。したがって、特にファクシミリ印刷以外の印刷後に行うファクシミリ印刷において、ファクシミリ用でない用紙にファクシミリ印刷されることを予防することができる。
【００７７】
以上、本発明の第１ないし第３の実施例について説明したが、本発明はこれに限られることなく、様々な形態とすることもできる。以下、本発明の変形例について説明する。
【００７８】
（変形例１）上記第３の実施例においても、第１，第２の実施例と同様に、用紙確認画面ＹＫＧ２を表示してから所定の時間の経過後に、ユーザからのボタン操作に関わらず、ファクシミリ印刷を開始するようにしてもよい。
【００７９】
（変形例２）上記第１の実施例においては、自動受信印刷および手動受信印刷において用紙確認画面を表示するようにしたが、手動受信印刷においては用紙確認画面の表示を行うことなく、所定のスイッチの操作により受信したファクシミリデータの印刷を行うようにしてもよい。
【００８０】
（変形例３）複数個の給紙カセットを備え、操作ユニット７０から給紙先のカセットを選択することにより複数の用紙種類に対応した構成のＭＦＰ１に対して本発明を適用することもできる。この場合、用紙確認画面では、給紙カセットの選択が適切であるか否かをユーザに確認させる表示を行うようにすればよい。
【００８１】
（変形例４）上記実施例では、用紙確認画面上のボタンを、カーソルスイッチ７４および選択スイッチ７５により選択するようにしたが、印刷ボタン９１に対応する印刷可スイッチ７７、印刷中止ボタン９２に対応する印刷中止スイッチ７８、一時停止ボタン９５に対応する一時停止スイッチ７９を押下することにより選択するようにしてもよい。
【００８２】
（変形例５）上記実施例では表示パネルに印刷ボタンなどを表示させるようにしたが、表示例としてはこれに限られることなく、例えば、印刷を指示する項目や印刷を中止する項目などをリスト状に配置した画面を表示パネルに表示させてもよい。
【００８３】
（変形例６）本発明は、マルチファンクションプリンタに限られることなく、複数種類の用紙をセット可能であれば、ファクシミリや、ファクシミリ機能を有するプリンタ、ホストコンピュータおよびプリンタを有するファクシミリシステムなどに適用することもできる。
【図面の簡単な説明】
【００８４】
【図１】第１の実施例に係るマルチファンクションプリンタの外観図。
【図２】マルチファンクションプリンタの内部構成図。
【図３】操作ユニットの構成図。
【図４】ファクシミリモード設定時における処理の流れを示すフローチャート。
【図５】自動受信印刷の処理の流れを示したフローチャート。
【図６】用紙確認画面の一例を示した図。
【図７】手動受信印刷の処理の流れを示したフローチャート。
【図８】用紙確認画面の一例を示した図。
【図９】印刷終了後に行う処理の流れを示したフローチャート。
【図１０】用紙確認画面の一例を示した図。
【図１１】第２の実施例における処理の流れを示したフローチャート。
【図１２】用紙確認画面の一例を示した図。
【図１３】用紙確認画面の一例を示した図。
【図１４】第３の実施例における処理の流れを示したフローチャート。
【符号の説明】
【００８５】
１…ファクシミリ装置としてのマルチファンクションプリンタ、４…原稿トレイ、５…原稿排紙トレイ、６…メモリスロット、７…載置部としての給紙トレイ、８…排紙トレイ、１０…受信部としてのファクシミリ送受信部、２０…外部インターフェイス、３０…メモリインターフェイス、３１…リムーバブルメモリ、４０…紙搬送機構、５０…スキャナユニット、６０…印刷部としての印刷エンジン、７０…操作部としての操作ユニット、７１…表示部としての表示パネル、８０…制御部としてのコントローラ、８１…ＣＰＵ、８２…ＲＡＭ、８３…ＲＯＭ、８４…計時部としてのタイマ、８５…画像処理部、９１…印刷指示項目としての印刷ボタン、９２…印刷中止項目としての印刷中止ボタン、９５…一時停止項目としての一時停止ボタン、９７…再開項目としての再開ボタン、ＹＫＧ１〜ＹＫＧ５…用紙確認画面。
【図１】
2008211430.tif 000003
【図２】
2008211430.tif 000004
【図３】
2008211430.tif 000005
【図４】
2008211430.tif 000006
【図５】
2008211430.tif 000007
【図６】
2008211430.tif 000008
【図７】
2008211430.tif 000009
【図８】
2008211430.tif 000010
【図９】
2008211430.tif 000011
【図１０】
2008211430.tif 000012
【図１１】
2008211430.tif 000013
【図１２】
2008211430.tif 000014
【図１３】
2008211430.tif 000015
【図１４】
2008211430.tif 000016